(57)【要約】【課題】トレイや被加熱物の落下を防ぐことができる加熱調理器を提供する。【解決手段】加熱庫８の内面には、金属トレイ２０１の一部に当接する第１上突起３３Ａ，３３Ｂを設けている。加熱庫８内から金属トレイ２０１を引き出す場合、第１上突起３３Ａ，３３Ｂが金属トレイ２０１の一部に当接した状態で、金属トレイ２０１を前方とは異なる方向に傾動させることで、金属トレイ２０１の一部に対する第１上突起３３Ａ，３３Ｂの当接が解除されて、金属トレイ２０１を加熱庫８外に引き出せるようになっている。【選択図】図６
2013160403.tif 000002
【特許請求の範囲】
【請求項１】
ケーシングと、
上記ケーシング内に設けられ、前側に開口部を有する加熱庫と、
上記加熱庫の上記開口部を開閉する扉と、
上記加熱庫内に出し入れ可能に設けられて、被加熱物を搭載するトレイと、
上記加熱庫の内面に設けられ、上記加熱庫内で上記トレイを支持する支持部と、
上記加熱庫の内面に設けられて、上記トレイの一部と当接することで上記トレイの前方への移動を規制する規制部と
を備え、
上記加熱庫内から上記トレイを引き出す場合、上記規制部が上記トレイの一部に当接した状態で、上記トレイを前方とは異なる方向に傾動させることで、上記トレイの一部に対する上記規制部の当接が解除されて、上記トレイを上記加熱庫外に引き出せるようになっていることを特徴とする加熱調理器。
【請求項２】
請求項１に記載の加熱調理器において、
上記規制部は上記トレイの上側に当接して上記トレイの鉛直方向の回動を規制することを特徴とする加熱調理器。
【請求項３】
請求項１または２に記載の加熱調理器において、
上記トレイは、トレイ本体と、上記トレイ本体に設けられた第１ストッパとを有し、
上記トレイの一部は上記第１ストッパであることを特徴とする加熱調理器。
【請求項４】
請求項３に記載の加熱調理器において、
上記第１ストッパは上記トレイ本体の下面に設けられていることを特徴とする加熱調理器。
【請求項５】
請求項４に記載の加熱調理器において、
上記第１ストッパは、上記加熱庫内から上記トレイを出す場合に上記規制部に当接する第１端面と、上記加熱庫内に上記トレイを入れる場合に上記規制部に摺接する第２端面とを有し、
上記トレイの出し入れ方向に対する上記第１ストッパの上記第１端面が成す角度に比べて、上記トレイの出し入れ方向に対する上記第１ストッパの上記第２端面が成す角度は小さいことを特徴とする加熱調理器。
【請求項６】
請求項３に記載の加熱調理器において、
上記第１ストッパは上記トレイ本体の上面に設けられていることを特徴とする加熱調理器。
【請求項７】
請求項６に記載の加熱調理器において、
上記トレイの外周縁は略矩形状を呈し、
上記第１ストッパは上記トレイの後側のコーナ部に位置することを特徴とする加熱調理器。
【請求項８】
請求項７に記載の加熱調理器において、
上記トレイの４つのコーナ部は互いに略同じ形状を有することを特徴とする加熱調理器。
【請求項９】
請求項６から８までのいずれか一項に記載の加熱調理器において、
上記トレイは、上記加熱庫内で位置決めするための第２ストッパを有することを特徴とする加熱調理器。
【請求項１０】
請求項３から９までのいずれか一項に記載の加熱調理器において、
上記第１ストッパは上記トレイ本体と一体に設けられていることを特徴とする加熱調理器。
【請求項１１】
請求項１から１０までのいずれか一項に記載の加熱調理器において、
上記規制部は上記加熱庫の上記開口部近傍に位置することを特徴とする加熱調理器。
【発明の詳細な説明】
【技術分野】
【０００１】
本発明は加熱調理器に関する。
【背景技術】
【０００２】
従来、加熱調理器としては、前側に開口部を有する加熱庫と、この開口部を通して加熱庫内に出し入れ可能に設けられ、被加熱物を搭載するトレイと、加熱庫内の各側面に設けられ、トレイを下側から支持する棚受けとを備えたものがある(例えば特開２０１１−１６３６９７号公報(特許文献１)参照)。
【０００３】
上記棚受けは、加熱庫の前側の開口部近傍から加熱庫の後端壁近傍まで延びており、上記加熱庫内にトレイを入れるとき、トレイを加熱庫内へ案内する役割も果たす。
【先行技術文献】
【特許文献】
【０００４】
【特許文献１】特開２０１１−１６３６９７号公報
【発明の概要】
【発明が解決しようとする課題】
【０００５】
ところが、上記加熱調理器では、加熱庫内からトレイを出すとき、棚受けがトレイの下側に位置するため、棚受けの前端部がトレイで隠れて見えない。その結果、ユーザがトレイを誤って引き出し過ぎて、トレイ、または、トレイ上の被加熱物を落下させてしまうという問題がある。
【０００６】
そこで、本発明の課題は、トレイや被加熱物の落下を防ぐことができる加熱調理器を提供することにある。
【課題を解決するための手段】
【０００７】
上記課題を解決するため、本発明の加熱調理器は、
ケーシングと、
上記ケーシング内に設けられ、前側に開口部を有する加熱庫と、
上記加熱庫の上記開口部を開閉する扉と、
上記加熱庫内に出し入れ可能に設けられて、被加熱物を搭載するトレイと、
上記加熱庫の内面に設けられ、上記加熱庫内で上記トレイを支持する支持部と、
上記加熱庫の内面に設けられて、上記トレイの一部と当接することで上記トレイの前方への移動を規制する規制部と
を備え、
上記加熱庫内から上記トレイを引き出す場合、上記規制部が上記トレイの一部に当接した状態で、上記トレイを前方とは異なる方向に傾動させることで、上記トレイの一部に対する上記規制部の当接が解除されて、上記トレイを上記加熱庫外に引き出せるようになっていることを特徴としている。
【０００８】
上記構成によれば、上記加熱庫内からトレイを引き出す場合、トレイの全部が加熱庫外に出る前に、規制部がトレイの一部に当接することで、トレイの前方への移動を規制する。したがって、上記支持部の前側がトレイで見えないとしても、ユーザがトレイを誤って引き出し過ぎて、トレイや被加熱物が落下するのを防ぐことができる。
【０００９】
また、上記加熱庫内からトレイを引き出す場合、規制部がトレイの一部に当接した状態で、トレイを前方とは異なる方向に傾動させることで、トレイの一部に対する規制部の当接が解除されて、トレイを加熱庫外に引き出せるようになっているので、トレイを加熱庫外で容易に清掃できるし、トレイに被加熱物を容易に搭載できる。
【００１０】
一実施形態の加熱調理器では、
上記規制部は上記トレイの上側に当接して上記トレイの鉛直方向の回動を規制する。
【００１１】
上記実施形態によれば、上記規制部はトレイの上側に当接してトレイの鉛直方向の回動を規制するので、ユーザがトレイを支持しなくても、トレイが自重で回動して転倒するのを防ぐことができる。
【００１２】
また、ユーザがトレイを支持しなくても、トレイが自重で回動して転倒するのを防ぐことができるので、ユーザは両手を使ってトレイから被加熱物を容易に取り出すことができる。
【００１３】
一実施形態の加熱調理器では、
上記トレイは、トレイ本体と、上記トレイ本体に設けられた第１ストッパとを有し、
上記トレイの一部は上記第１ストッパである。
【００１４】
上記実施形態によれば、上記規制部が、トレイ本体に設けられた第１ストッパと当接するので、トレイの前方への移動を確実に規制できる。
【００１５】
一実施形態の加熱調理器では、
上記第１ストッパは上記トレイ本体の下面に設けられている。
【００１６】
上記実施形態によれば、上記トレイの下面に第１ストッパを設けるので、トレイを上方から見たとき、第１ストッパが目立ち難く、トレイの美観の低下を防ぐことができる。
【００１７】
一実施形態の加熱調理器では、
上記第１ストッパは、上記加熱庫内から上記トレイを出す場合に上記規制部に当接する第１端面と、上記加熱庫内に上記トレイを入れる場合に上記規制部に摺接する第２端面とを有し、
上記トレイの出し入れ方向に対する上記第１ストッパの上記第１端面が成す角度に比べて、上記トレイの出し入れ方向に対する上記第１ストッパの上記第２端面が成す角度は小さい。
【００１８】
上記実施形態によれば、上記加熱庫内からトレイを出す場合、トレイの出し入れ方向に対する第１ストッパの第２端面が成す角度に比べて、トレイの出し入れ方向に対する第１ストッパの第１端面が成す角度が大きいので、第１ストッパの第１端面が規制部に当接して、トレイの移動を規制することができる。一方、上記加熱庫内にトレイを入れる場合、トレイの出し入れ方向に対する第１ストッパの第１端面が成す角度に比べて、トレイの出し入れ方向に対する第１ストッパの第２端面が成す角度が小さいので、第１ストッパの第２端面が規制部に摺接して、第１ストッパは規制部を乗り越えることができる。したがって、上記トレイを加熱庫内に比較的スムーズに入れることができる。
【００１９】
一実施形態の加熱調理器では、
上記第１ストッパは上記トレイ本体の上面に設けられている。
【００２０】
上記実施形態によれば、上記トレイ本体の上面に第１ストッパを設けることによって、第１ストッパに対する規制部の当接状態が視認し易くなるので、規制部の当接を解除するためのトレイの傾動操作がやり易くなる。
【００２１】
一実施形態の加熱調理器では、
上記トレイの外周縁は略矩形状を呈し、
上記第１ストッパは上記トレイの後側のコーナ部に位置する。
【００２２】
上記実施形態によれば、上記第１ストッパがトレイの後側のコーナ部に位置するので、トレイを傾動をさせて、第１ストッパに対する規制部の当接を確実に解除することができる。
【００２３】
一実施形態の加熱調理器では、
上記トレイの４つのコーナ部は互いに略同じ形状を有する。
【００２４】
上記実施形態によれば、上記トレイの４つのコーナ部は互いに略同じ形状を有するので、加熱庫内にトレイを入れる一意に決めなくてよく、使用性を向上させることができる。
【００２５】
一実施形態の加熱調理器では、
上記トレイは、上記加熱庫内で位置決めするための第２ストッパを有する。
【００２６】
上記実施形態によれば、上記第２ストッパによってトレイを加熱庫内で位置決めできるので、被加熱物に目的とする加熱を確実に行うことができる。
【００２７】
一実施形態の加熱調理器では、
上記第１ストッパは上記トレイ本体と一体に設けられている。
【００２８】
上記実施形態によれば、上記第１ストッパをトレイ本体と一体に設けるので、第１ストッパおよびトレイ本体を一体成型で得ることができる。したがって、上記トレイの製造工程数を減らして、トレイの製造コストを低減できる。
【００２９】
一実施形態の加熱調理器では、
上記規制部は上記加熱庫の上記開口部近傍に位置する。
【００３０】
上記実施形態によれば、上記規制部が第１ストッパと当接することでトレイの前方への移動を規制した時、規制部が加熱庫の開口部近傍に位置するので、加熱庫からトレイの大部分を突出させることができる。したがって、上記トレイから被加熱物をより容易に取り出すことができる。
【００３１】
一実施形態の加熱調理器では、
上記規制部は、上記支持部よりも上方に位置する突起部と、上記支持部よりも前方に位置する突起部とからなる。
【００３２】
上記実施形態によれば、上記規制部は、支持部よりも上方に位置する突起部と、支持部よりも前方に位置する突起部とからなるので、トレイや被加熱物が落下するのを防ぐ効果と、トレイを加熱庫外で容易に清掃できる効果と、トレイに被加熱物を容易に搭載できる効果とが簡単な構造で得られる。
【００３３】
一実施形態の加熱調理器では、
上記規制部の当接は、上記トレイの手前側が上記トレイの奥側よりも高くなるように上記トレイを傾動させることで解除される。
【００３４】
上記実施形態によれば、上記トレイが被加熱物を搭載している場合、トレイの手前側がトレイの奥側よりも高くなるようにトレイを傾動させることで、規制部の当接を解除するので、規制部の当接を解除するときに、被加熱物がトレイの手前側に移動してトレイから転落するのを防ぐことができる。
【発明の効果】
【００３５】
本発明の加熱調理器は、ケケーシングと、ケーシング内に設けられ、前側に開口部を有する加熱庫と、加熱庫の上記開口部を開閉する扉と、加熱庫内に出し入れ可能に設けられて、被加熱物を搭載するトレイと、加熱庫の内面に設けられ、加熱庫内でトレイを支持する支持部と、加熱庫の内面に設けられて、トレイの一部と当接することで上記トレイの前方への移動を規制する規制部とを備えるので、トレイや被加熱物が落下するのを防ぐことができる。
【００３６】
また、上記加熱庫内からトレイを引き出す場合、規制部がトレイの一部に当接した状態で、トレイを前方とは異なる方向に傾動させることで、トレイの一部に対する規制部の当接が解除されて、トレイを加熱庫外に引き出せるようになっているので、トレイを加熱庫外で容易に清掃できるし、トレイに被加熱物を容易に搭載できる。
【図面の簡単な説明】
【００３７】
【図１】図１は本発明の一実施形態の加熱調理器の正面図である。
【図２】図２は上記加熱調理器の把手付きドアを開放した状態の上面図である。
【図３】図３は上記加熱調理器の把手付きドアを開放した状態の正面図である。
【図４】図４は上記加熱調理器の模式断面図である。
【図５】図５は上記加熱調理器のケーシングを取り外した状態の斜視図である。
【図６】図６は上記加熱調理器の加熱庫内を開口部側から見た模式図である。
【図７】図７は上記加熱調理器の金属トレイの概略上面図である。
【図８】図８は上記金属トレイの概略右側面図である。
【図９】図９は上記金属トレイの概略左側面図である。
【図１０】図１０は上記加熱調理器のガラストレイの概略上面図である。
【図１１】図１１は上記ガラストレイの概略右側面図である。
【図１２】図１２は上記ガラストレイの概略左側面図である。
【図１３】図１３は上記加熱庫の右側壁を内側から見た模式図である。
【図１４】図１４は上記加熱庫の左側壁を内側から見た模式図である。
【図１５】図１５は上記金属トレイの取り出し時の動作を説明するための模式図である。
【図１６】図１６は上記金属トレイの取り出し時の動作を説明するための模式図である。
【図１７】図１７は上記金属トレイの取り出し時の動作を説明するための模式図である。
【図１８】図１８は上記金属トレイの取り出し時の動作を説明するための模式図である。
【図１９】図１９は上記金属トレイの挿入時の動作を説明するための模式図である。
【図２０】図２０は上記金属トレイの挿入時の動作を説明するための模式図である。
【図２１】図２１は上記ガラストレイの取り出し時の動作を説明するための模式図である。
【図２２】図２２は上記ガラストレイの取り出し時の動作を説明するための模式図である。
【図２３】図２３は上記ガラストレイの取り出し時の動作を説明するための模式図である。
【図２４】図２４は上記ガラストレイの取り出し時の動作を説明するための模式図である。
【図２５】図２５は上記ガラストレイの取り出し時の動作を説明するための模式図である。
【図２６】図２６は上記ガラストレイの取り出し時の動作を説明するための模式図である。
【図２７】図２７は上記ガラストレイの挿入時の動作を説明するための模式図である。
【図２８】図２８は上記ガラストレイの挿入時の動作を説明するための模式図である。
【発明を実施するための形態】
【００３８】
以下、本発明の加熱調理器を図示の実施の形態により詳細に説明する。
【００３９】
図１は本発明の一実施形態の加熱調理器の正面図である。
【００４０】
上記加熱調理器は、ケーシング１と、このケーシング１の前面側に取り付けられた把手付きドア２とを備えている。この把手付きドア２の略中央に耐熱ガラス５を取り付けている。また、ケーシング１の前面側には、閉鎖時の把手付きドア２と隣り合うように操作パネル３を設けている。そして、把手付きドア２と操作パネル３の下方には露受容器４を配置している。なお、把手付きドア２は扉の一例である。
【００４１】
上記操作パネル３は液晶表示部７を有し、この液晶表示部７が操作に応じた表示を行う。また、図示しないが、操作パネル３には、複数の押ボタンなどを設けている。
【００４２】
上記露受容器４は、ケーシング１の底部の前側に設けられた２つの前脚６，６に着脱可能な容器である。そして、露受容器４を前方から後方に向かってケーシング１の下側に挿入して前脚６，６に取り付けると、露受容器４の一部が閉鎖時の把手付きドア２の後面(裏面)の下方に位置する。
【００４３】
図２は、上記加熱調理器の把手付きドア２を全開にした状態(開放状態)を上方から見た上面図である。また、図３は、上記加熱調理器の把手付きドア２を全開にした状態を正面から見た正面図(前面図)である。
【００４４】
図２，図３に示すケーシング１内には、被加熱物２３(図４参照)を加熱するための加熱庫８を設置している。加熱庫８は前面側に開口部８ａに有し、この開口部８ａは把手付きドア２の横方向の回動により開閉される。ここで、把手付きドア２において操作パネル３側とは反対側の側部は、ケーシング１において操作パネル３側とは反対側の側部にヒンジ(図示せず)を介して回動自在に取り付けられている。
【００４５】
上記把手付きドア２の後面にはラッチフック９０を設けている。このラッチフック９０は、把手付きドア２の閉鎖時、開口部８ａの周縁部に設けられた挿通孔９１に挿通され、ケーシング１内のラッチ機構（図示せず）に解除可能に係止される。また、ラッチフック９０の係止の解除は、ユーザが把手付きドア２の把手２ａを握ることで行える。
【００４６】
なお、図３において、８０は、蒸気発生装置１３(図５参照)で発生した蒸気が加熱庫８内に向かって吹き出す蒸気吹出口である。
【００４７】
図４は上記加熱調理器の模式断面図である。
【００４８】
上記加熱調理器では、ケーシング１外の空気が、冷却ファン１６によって、複数の吸気口１７を介してケーシング１内に吸い込まれる。この複数の吸気口１７を介してケーシング１内に吸い込まれた空気の一部は、電装品室９を通過した後、給気ダンパ５０が開いて開状態の複数の給気口８ｂから加熱庫８に流入する。一方、上記複数の吸気口１７を介してケーシング１内に吸い込まれた空気の他の一部は、電装品室９を通過した後、ケーシング１の底部側に流れて加熱庫８の下側の風通路１１２を介して排気ダクト１００の冷却空気入口１０１に流入する。
【００４９】
また、上記加熱庫８内の空気の一部は、排気口８ｃおよび排気チューブ１８を介して排気ダクト１００に排出されて、排気ダクト１００内で冷却空気入口１０１から流入した空気と混合されて希釈される。この排気ダクト１００内で希釈された空気は、排気ダクト１００に設けられた複数の排出口１０２から、露受容器４の一方の端部内に向かって吹き出す。
【００５０】
ここで、上記風通路１１２を流れる空気の一部は、ケーシング１の底板の前面側に設けられた複数の冷却風吹出口７０から、露受容器４の一方の端部内に向かって吹き出す。
【００５１】
なお、図４において、２６は、被加熱物２３を加熱するためのヒータである。また、各吸気口１７はケーシング１の後部に設けられたスリットで構成されている。
【００５２】
図５は、上記加熱調理器のケーシング１を取り外した状態を後方かつ斜め上方から見た斜視図である。
【００５３】
上記ケーシング１内において、加熱庫８(図３，図４参照)の側方かつ操作パネル３の後方には電装品室９を設け、加熱庫８の側方かつ電装品室９の後方には吸気空間１０を設けている。
【００５４】
上記加熱庫８内の上側の空間には、被加熱物２３を加熱するためのヒータ２６を配置している。
【００５５】
一方、上記加熱庫８外においては、加熱庫８の上方、下方、後方および両側方のそれぞれに、遮熱板１１，１１，…を配置している。つまり、遮熱板１１，１１，…は、加熱庫８の開口部８ａを除く周囲に配置されている。また、遮熱板１１と加熱庫８との間の空間には断熱材(図示せず)を充填している。なお、図５において、加熱庫８の上方の遮熱板の図示は省略している。
【００５６】
また、上記加熱庫８の後面側には、蒸気を発生する蒸気発生装置１３を配置している。また、加熱庫８の下側には、蒸気発生装置１３に給水チューブ(図示せず)を介して接続された給水ポンプ１９を配置している。
【００５７】
上記電装品室９内には、給水タンク(図示せず)が収納されるタンク収納部１５、マグネトロン５１、電源トランス５２などが配置されている。そして、被加熱物２３の加熱時には、冷却ファン１６からの冷却風が電装品室９内を流れ、マグネトロン５１などの電装品を冷却できるようにしている。
【００５８】
上記マグネトロン５１で発生したマイクロ波は、導波管(図示せず)を介して加熱庫８の下部中央に導かれ、回転アンテナ(図示せず)によって攪拌されながら加熱庫８内の上方に向かって放射されて被加熱物２３を加熱する。
【００５９】
上記収納部１５に収納された給水タンク内の水は、給水ポンプ１９によって、給水チューブ(図示せず)を介して蒸気発生装置１３に供給される。蒸気発生装置１３は、給水ポンプ１９からの水を蒸気発生用ヒータ２４で加熱して、水蒸気を発生する。
【００６０】
上記吸気空間１０には、冷却ファン１６の駆動に伴い、ケーシング１外の空気が複数の吸気口１７(図４参照)から流れ込む。そして、吸気空間１０内の空気は冷却ファン１６で電装品室９内に送られる。
【００６１】
なお、図５において、２１は、電装品室９と吸気空間１０とを仕切る間仕切壁である。この間仕切壁２１に冷却ファン１６を取り付けている。
【００６２】
図６は、上記開口部８ａから加熱庫８内を見た模式図である。
【００６３】
上記加熱庫８内には金属トレイ２０１およびガラストレイ３０１が出し入れが可能になっている。加熱庫８の右側壁８ｄ，左側壁８ｅの内面の上側には上棚受け３１Ａ，３１Ｂを設けてあり、この上棚受け３１Ａ，３１Ｂが金属トレイ２０１を下側から支持している。また、加熱庫８の右側壁８ｄ，左側壁８ｅの内面の下側には下棚受け３２Ａ，３２Ｂを設けてあり、この下棚受け３２Ａ，３２Ｂがガラストレイ３０１を下側から支持している。金属トレイ２０１は、上棚受け３１Ａ，３１Ｂに支持されているとき、加熱調理器の設置面から例えば２３ｃｍぐらいの高さに位置する。また、ガラストレイ３０１は、下棚受け３２Ａ，３２Ｂに支持されているとき、加熱調理器の設置面から例えば１５ｃｍぐらいの高さに位置する。上棚受け３１Ａ，３１Ｂはガラストレイ３０１も支持できるようになっていると共に、下棚受け３２Ａ，３２Ｂは金属トレイ２０１も支持できるようになっている。なお、金属トレイ２０１，ガラストレイ３０１はトレイの一例である。また、上棚受け３１Ａ，３１Ｂ，下棚受け３２Ａ，３２Ｂは支持部の一例である。
【００６４】
図７は、上記金属トレイ２０１を上方から見た概略上面図である。また、図８は、上記金属トレイ２０１を右側方から見た概略右側面図である。また、図９は、上記金属トレイ２０１を左側方から見た概略左側面図である。
【００６５】
上記金属トレイ２０１は、図７〜図９に示すように、例えば鉄やステンレスなどの金属から成るトレイ本体２０２と、耐熱性樹脂から成るストッパ２０３Ａ，２０３Ｂ，２０３Ｃ，２０３Ｄとを有して、外周縁が略矩形状を呈している。また、金属トレイ２０１の４つのコーナ部は互いに略同じ形状となっている。また、金属トレイ２０１は、ストッパ２０３Ａ，２０３Ｂを加熱庫８内の奥側に位置するように、加熱庫８内の上部または下部に入れたり、ストッパ２０３Ｃ，２０３Ｄを加熱庫８内の奥側に位置するように、加熱庫８内の上部または下部に入れたりすることができるようになっている。なお、ストッパ２０３Ａ，２０３Ｂ，２０３Ｃ，２０３Ｄは、第１ストッパの一例であり、第２ストッパの一例でもある。
【００６６】
上記トレイ本体２０２は、被加熱物２３を搭載する底部２０２ａと、この底部２０２ａの周縁部の全周に渡って立設された側部２０２ｂと、この側部２０２ｂの上端部に連なるフランジ部２０２ｃとから成っている。底部２０２ａには複数の貫通孔２０２ｄを設けて、水などの液体が底部２０２ａ上に溜まらないようにしている。また、フランジ部２０２ｃの４つのコーナ部は上面視で円弧を描くような形状となっている。すなわち、フランジ部２０２ｃの４つのコーナ部の外周縁は丸みをおびている。
【００６７】
上記ストッパ２０３Ａ，２０３Ｂのペアとストッパ２０３Ｃ，２０３Ｄのペアとのうち、加熱庫８内の奥側に位置するペアが、加熱庫８内での金属トレイ２０１の移動を規制する役割を担う一方、加熱庫８内の手前側に位置するペアが、加熱庫８内での金属トレイ２０１の位置を決める役割を担う。また、ストッパ２０３Ａ，２０３Ｂ，２０３Ｃ，２０３Ｄは、上方から見た形状が扇形状となっていて、フランジ部２０２ｃのコーナ部上に配置されてネジ２０３で固定されている。また、ストッパ２０３Ａ，２０３Ｂ，２０３Ｃ，２０３Ｄの幅はフランジ部２０２ｃのコーナ部の幅よりも少し広く、ストッパ２０３Ａ，２０３Ｂ，２０３Ｃ，２０３Ｄの上面とフランジ部２０２ｃの上面との間には段差が生じている。また、上棚受け３１Ａ，３１Ｂが金属トレイ２０１を下側から支持し、かつ、トレイ本体２０２ｂの底部２０２ａが略水平になっているとき、フランジ部２０２ｃの各コーナ部は上棚受け３１Ａ，３１Ｂの上面に接触しないようになっている。
【００６８】
図１０は、上記ガラストレイ３０１を上方から見た概略上面図である。また、図１１は、上記ガラストレイ３０１を右側方から見た概略右側面図である。また、図１２は、上記ガラストレイ３０１を左側方から見た概略左側面図である。
【００６９】
上記ガラストレイ３０１は、図１０に示すように、被加熱物２３を搭載する底部３０１ａと、この底部３０１ａの右側の縁部に立設された右側部３０１ｂと、底部３０１ａの左側の縁部に立設された左側部３０１ｃと、右側部３０１ｂの上端部に連なる平板形状の右端部３０１ｄと、左側部３０１ｃの上端部に連なる平板形状の左端部３０１ｅとを有している。この底部３０１ａには貫通孔を設けておらず、水などの液体を底部３０１ａで保持できるようにしている。また、ガラストレイ３０１の４つのコーナ部の外周縁は丸みをおびている。また、ガラストレイ３０１は、後述するストッパ３０２Ａ，３０２Ｂを加熱庫８内の奥側に位置するように、加熱庫８内の上部または下部に入れたり、後述するストッパ３０２Ｃ，３０２Ｄを加熱庫８内の奥側に位置するように、加熱庫８内の上部または下部に入れたりすることができるようになっている。なお、底部３０１ａ，右側部３０１ｂ，左側部３０１ｃ，右端部３０１ｄ，左端部３０１ｅはトレイ本体の一例である。
【００７０】
上記右端部３０１ｄの下面には、図１１に示すように、側方から見た形状が台形状を呈するストッパ３０２Ａ，３０２Ｃを設けている。ストッパ３０２Ａは、ストッパ３０２Ｃ側に第１傾斜端面３０３Ａを有する一方、ストッパ３０２Ｃ側とは反対側に第２傾斜端面３０４Ａを有している。また、ストッパ３０２Ａと同様に、ストッパ３０２Ｃも、ストッパ３０２Ａ側に第１傾斜端面３０３Ｃを有する一方、ストッパ３０２Ａ側とは反対側に第２傾斜端面３０４Ｃを有している。また、右端部３０１ｄの下面に対する第１傾斜端面３０３Ａ，３０３Ｃの傾斜角は、右端部３０１ｄの下面に対する第２傾斜端面３０４Ａ，３０４Ｃの傾斜角よりも大きくしている。なお、ストッパ３０２Ａ，３０２Ｃ，は第１ストッパの一例である。また、第１傾斜端面３０３Ａ，３０３Ｃは第１端面の一例である。また、第２傾斜端面３０４Ａ，３０４Ｃは第２端面の一例である。
【００７１】
上記左端部３０１ｅの下面には、図１２に示すように、側方から見た形状が台形状を呈するストッパ３０２Ｂ，３０２Ｄを設けている。ストッパ３０２Ｂは、ストッパ３０２Ｄ側に第１傾斜端面３０３Ｂを有する一方、ストッパ３０２Ｄ側とは反対側に第２傾斜端面３０４Ｂを有している。また、ストッパ３０２Ｂと同様に、ストッパ３０２Ｄも、ストッパ３０２Ｂ側に第１傾斜端面３０３Ｄを有する一方、ストッパ３０２Ｂ側とは反対側に第２傾斜端面３０４Ｄを有している。また、左端部３０１ｄの下面に対する第１傾斜端面３０３Ｂ，３０３Ｄの傾斜角は、左端部３０１ｄの下面に対する第２傾斜端面３０４Ｂ，３０４Ｄの傾斜角よりも大きくしている。なお、ストッパ３０２Ｂ，３０２Ｄは第１ストッパの一例である。また、第１傾斜端面３０３Ｂ，３０３Ｄは第１端面の一例である。また、第２傾斜端面３０４Ｂ，３０４Ｄは第２端面の一例である。
【００７２】
上記ストッパ３０２Ａ，３０２Ｂのペアとストッパ３０２Ｃ，３０２Ｄのペアとのうち、加熱庫８内の奥側に位置するペアが、加熱庫８内での金属トレイ２０１の移動を規制する役割を担う。また、ストッパ３０２Ａ，３０２Ｂ，３０２Ｃ，３０２Ｄは、右端部３０１ｄまたは左端部３０１ｅの下面から下方に突出する凸部であって、底部３０１ａ、右側部３０１ｂ、左側部３０１ｃ、右端部３０１ｄおよび左端部３０１ｅなどと共に、耐熱ガラス材料を用いた一体成型で形成されたものである。
【００７３】
なお、上記左端部３０１ｄの下面は、ガラストレイ３０１の出し入れ方向と略平行となる面である。
【００７４】
図１３は、上記加熱庫８の右側壁８ｄを内側から見た模式図である。また、図１４は、上記加熱庫８の左側壁８ｅを内側から見た模式図である。
【００７５】
上記上棚受け３１Ａ，３１Ｂおよび下棚受け３２Ａ，３２Ｂは、図１３，図１４に示すように、加熱庫８の開口部８ａ近傍から加熱庫６の後部に向かって一直線状に伸びている。また、上棚受け３１Ａ，３１Ｂの上面と下棚受け３２Ａ，３２Ｂの上面とは、水平方向に対して斜め下側に傾斜している。上棚受け３１Ａ，３１Ｂの上面上では、金属トレイ２０１のトレイ本体２０２のフランジ部２０２ｃが摺動する。一方、下棚受け３２Ａ，３２Ｂの上面上では、ガラストレイ３０１の右端部３０１ｄ，左端部３０１ｅが摺動する。
【００７６】
また、上記加熱庫８の右側壁８ｄ，左側壁８ｅの内面の上側には、上棚受け３１Ａ，３１Ｂの前端部の上方に位置する円柱形状の第１上突起３３Ａ，３３Ｂを設けると共に、上棚受け３１Ａ，３１Ｂの前端部の前方に位置する円柱形状の第２上突起３４Ａ，３４Ｂを設けている。この第１上突起３３Ａ，３３Ｂおよび第２上突起３４Ａ，３４Ｂは加熱庫８の開口部８ａ近傍に位置している。また、第１上突起３３Ａ，３３Ｂの径は第２上突起３４Ａ，３４Ｂの径よりも小さくなっている。また、第２上突起３４Ａ，３４Ｂの上端は上棚受け３１Ａ，３１Ｂの上面と略同じ高さとなっている。また、ストッパ２０３Ａ，２０３Ｂがストッパ２０３Ｃ，２０３Ｄよりも奥側にある状態の金属トレイ２０１を水平方向の移動で加熱庫８内から引き出す場合、加熱庫８内から金属トレイ２０１が予め設定された長さだけ引き出されると、第１上突起３３Ａ，３３Ｂがストッパ２０３Ａ，２０３Ｂの前端面(開口部８ａ側の端面)に当接して、金属トレイ２０１の水平方向の移動が制限されるようになっている。また、加熱庫８内から金属トレイ２０１が予め設定された長さだけ引き出された状態において、金属トレイ２０１が自重で回動しようとしても、第１上突起３３Ａ，３３Ｂがトレイ本体２０２のフランジ部２０２ｃの上面に当接して、金属トレイ２０１の回動が制限されるようにもなっている。なお、第１上突起３３Ａ，３３Ｂおよび第２上突起３４Ａ，３４Ｂは規制部の一例である。
【００７７】
また、上記加熱庫８の右側壁８ｄ，左側壁８ｅの内面の下側には、下棚受け３２Ａ，３２Ｂの前端部の上方に位置する円柱形状の第１下突起３５Ａ，３５Ｂを設けると共に、下棚受け３２Ａ，３２Ｂの前端部の前方に位置する円柱形状の第２下突起３６Ａ，３６Ｂを設けている。この第１下突起３５Ａ，３５Ｂおよび第２下突起３６Ａ，３６Ｂは加熱庫８の開口部８ａ近傍に位置している。また、第１下突起３５Ａ，３５Ｂの径は第２下突起３６Ａ，３６Ｂの径よりも小さくなっている。また、第２下突起３６Ａ，３６Ｂの上端は下棚受け３２Ａ，３２Ｂの上面と略同じ高さとなっている。また、ストッパ３０２Ａ，３０２Ｂがストッパ３０２Ｃ，３０２Ｄよりも奥側にある状態のガラストレイ３０１を水平方向の移動で加熱庫８内から引き出す場合、加熱庫８内からガラストレイ３０１が予め設定された長さだけ引き出されると、第２下突起３６Ａ，３６Ｂがストッパ３０２Ａ，３０２Ｂの第１傾斜端面３０３Ａ，３０３Ｂに当接して、ガラストレイ３０１の水平方向の移動が制限されるようになっている。また、加熱庫８内からガラストレイ３０１が予め設定された長さだけ引き出された状態において、ガラストレイ３０１が自重で回動しようとしても、第１下突起３５Ａ，３５Ｂがガラストレイ３０１の右端部３０１ｄ，左端部３０１ｅの上面に当接して、ガラストレイ３０１の回動が制限されるにようにもなっている。なお、第１下突起３５Ａ，３５Ｂおよび第２下突起３６Ａ，３６Ｂは規制部の一例である。
【００７８】
上記構成の加熱調理器で例えば蒸し料理をする場合、金属トレイ２０１のトレイ本体２０２の底部２０２ａ上に被加熱物２３を置いた後、ストッパ２０３Ａ，２０３Ｂが加熱庫６内の奥側(後側)に位置するように、金属トレイ２０１を加熱庫８内の上部に入れ、上棚受け３１Ａ，３１Ｂに金属トレイ２０１を支持させる。これと共に、ストッパ３０２Ａ，３０２Ｂが加熱庫６内の奥側(後側)に位置するように、ガラストレイ３０１を加熱庫８内の下部に入れ、下棚受け３２Ａ，３２Ｂにガラストレイ３０１を支持させる。そして、把手付きドア２を閉じて、操作パネル３の複数の押ボタンを操作して、被加熱物２３を蒸す。このとき、金属トレイ２０１上で生じた結露水などは、トレイ本体２０２の底部２０２ａの複数の貫通孔２０２ｄから滴下して、ガラストレイ３０１の底部２０２ａ上に溜まる。
【００７９】
このようにして、上記被加熱物２３を蒸した後、加熱庫８内から被加熱物２３を取り出すために、把手付きドア２を開いて、金属トレイ２０１を引き出す場合、図１５，図１６に示すように、金属トレイ２０１の大部分(例えば半分以上)が加熱庫８外に出た時、第１上突起３３Ａ，３３Ｂがストッパ２０３Ａ，２０３Ｂの前端面に当接して、金属トレイ２０１が引き出せなくなる。これにより、上棚受け３１Ａ，３１Ｂの前端部が金属トレイ２０１で見えなくても、ユーザが金属トレイ２０１を誤って引き出し過ぎて、金属トレイ２０１および被加熱物２３が落下するのを防ぐことができる。
【００８０】
また、上記金属トレイ２０１が図１５，図１６の状態になった時、金属トレイ２０１が第２上突起３４Ａ，３４Ｂ付近を中心に自重で回動しようとしても、第１上突起３３Ａ，３３Ｂがフランジ部２０２ｃの上面に当接して、そのような金属トレイ２０１の回動を防ぐことができる。したがって、ユーザが金属トレイ２０１を支持しなくても、金属トレイ２０１の大部分が加熱庫８外に出た状態を保持できる。したがって、上記状態において、ユーザは両手を自由に使えるので、金属トレイ２０１から被加熱物２３を容易に取り出すことができる。例えば、図１５，図１６の状態において、金属トレイ２０１の手前側に２ｋｇの重りを乗せて、金属トレイ２０１から手を離しても、金属トレイ２０１の転倒を防ぐことができる。
【００８１】
また、図１５，図１６の状態で被加熱物２３の取り出しができることによって、例えば狭いキッチンであっても、金属トレイ２０１の置き場所を気にせずに被加熱物２３を取り出せるので、使用性を向上させることができる。
【００８２】
また、図１７，図１８に示すように、金属トレイ２０１を傾動させることにより、第１上突起３３Ａ，３３Ｂの当接が解除される。つまり、第１上突起３３Ａ，３３Ｂからストッパ２０３Ａ，２０３Ｂが離間する。したがって、ストッパ２０３Ａ，２０３Ｂに第１上突起３３Ａ，３３Ｂの下をくぐらせて、金属トレイ２０１の全部を加熱庫８外に出すことができる。その結果、金属トレイ２０１を加熱庫８外で容易に清掃できるし、トレイ本体２０２の底部２０２ａ上に被加熱物２３を容易に置くこともできる。
【００８３】
また、上記ストッパ２０３Ａ，２０３Ｂがフランジ部２０２ｃ上にあるので、ストッパ２０３Ａ，２０３Ｂに対する第１上突起３３Ａ，３３Ｂの当接状態が視認し易くなる。したがって、第１上突起３３Ａ，３３Ｂの当接を解除するための金属トレイ２０１の傾動操作を容易に行うことができる。
【００８４】
また、上記フランジ部２０２ｃのコーナ部上にストッパ２０３Ａ，２０３Ｂを配置しているので、金属トレイ２０１を傾動させて、第１上突起３３Ａ，３３Ｂからストッパ２０３Ａ，２０３Ｂを確実に外すことができる。
【００８５】
また、上記第１上突起３３Ａ，３３Ｂは加熱庫８の開口部８ａ近傍に位置しているので、第１上突起３３Ａ，３３Ｂがストッパ２０３Ａ，２０３Ｂに当接することで金属トレイ２０１が止まった時、金属トレイ２０１の大部分を加熱庫８外に確実に出すことができる。したがって、金属トレイ２０１から被加熱物２３をより容易に取り出すことができる。
【００８６】
また、上記ストッパ２０３Ａ，２０３Ｂが加熱庫６内の奥側(後側)に位置するように、金属トレイ２０１を加熱庫８内の上部に入れる場合、図１７，図１８に示すように、第２上突起３４Ａ，３４Ｂを中心に金属トレイ２０１を傾動させることにより、ストッパ２０３Ａ，２０３Ｂに第１上突起３３Ａ，３３Ｂの下をくぐらせて、金属トレイ２０１を加熱庫８内に押し込む。そうすると、図１９，図２０に示すように、第１上突起３３Ａ，３３Ｂがストッパ２０３Ｃ，２０３Ｄの後端面に当接して、金属トレイ２０１を加熱庫８内に押し込むことができなくなる。その結果、金属トレイ２０１を予め定めた場所に確実に配置できるので、底部２０２ａ上の被加熱物２３に目的とする加熱を確実に行うことができる。
【００８７】
一方、上記ガラストレイ３０１を引き出す場合、図２１，図２２に示すように、ガラストレイ３０１の一部(例えば半分未満)が加熱庫８外に出た時、第２下突起３６Ａ，３６Ｂがストッパ３０２Ｃ，３０２Ｄの第２傾斜端面３０４Ｃ，３０４Ｄに当接する。この状態で、ガラストレイ３０１をさらに引くと、ストッパ３０２Ｃ，３０２Ｄの第２傾斜端面３０４Ｃ，３０４Ｄが第２下突起３６Ａ，３６Ｂに摺接して、ストッパ３０２Ｃ，３０２Ｄが第２下突起３６Ａ，３６Ｂを乗り越える。したがって、ガラストレイ３０１を加熱庫８内からさらに引き出すことができる。したがって、ガラストレイ３０１を加熱庫８内から比較的スムーズに引き出すことができる。
【００８８】
また、上記ガラストレイ３０１をさらに引き出す場合、図２３，図２４に示すように、ガラストレイ３０１の大部分(例えば半分以上)が加熱庫８外に出た時、第２下突起３６Ａ，３６Ｂがストッパ３０２Ａ，３０２Ｂの第１傾斜端面３０３Ａ，３０３Ｂに当接して、ガラストレイ３０１が引き出せなくなる。これにより、下棚受け３２Ａ，３２の前端部が金属トレイ２０１で見えなくても、ユーザがガラストレイ３０１を誤って引き出し過ぎて、ガラストレイ３０１が落下するのを防ぐことができる。
【００８９】
また、上記ガラストレイ３０１が図２３，図２４の状態になった時、ガラストレイ３０１が第２下突起３６Ａ，３６Ｂ付近を中心に自重で回動しようとしても、第１下突起３５Ａ，３５Ｂが右端部３０１ｄ，左端部３０１ｅの上面に当接して、そのようなガラストレイ３０１の回動を防ぐことができる。したがって、ユーザがガラストレイ３０１を支持しなくても、ガラストレイ３０１の大部分が加熱庫８外に出た状態を保持できる。したがって、ガラストレイ３０１が被加熱物２３を搭載しているなら、ユーザは上記状態のままでガラストレイ３０１から被加熱物２３を容易に取り出すことができる。例えば、図２３，図２４の状態において、ガラストレイ３０１の手前側に２ｋｇの重りを乗せて、ガラストレイ３０１から手を離しても、ガラストレイ３０１の転倒を防ぐことができる。
【００９０】
また、図２３，図２４の状態のままで被加熱物２３の取り出しができることによって、例えば狭いキッチンであっても、ガラストレイ３０１の置き場所を気にせずに被加熱物２３を取り出せるので、使用性を向上させることができる。
【００９１】
また、図２５，図２６に示すように、ガラストレイ３０１を傾動させることにより、第２下突起３６Ａ，３６Ｂの当接が解除される。つまり、第２下突起３６Ａ，３６Ｂからストッパ３０２Ａ，３０２Ｂが離間する。したがって、ストッパ３０２Ａ，３０２Ｂに第２上突起３３Ａ，３３Ｂを乗り越えさせて、ガラストレイ３０１の全部を加熱庫８外に出すことができる。その結果、ガラストレイ３０１の底部３０１ａ上に被加熱物２３を容易に置くことができると共に、ガラストレイ３０１を加熱庫８外で容易に清掃できる。
【００９２】
また、上記ストッパ３０２Ａ，３０２Ｂが加熱庫６内の奥側(後側)に位置するように、ガラストレイ３０１を加熱庫８内の下部に入れる場合、図２７，図２８に示すように、第２下突起３６Ａ，３６Ｂがストッパ３０２Ａ，３０２Ｂの第２傾斜端面３０４Ａ，３０４Ｂに当接する。この状態で、ガラストレイ３０１をさらに押すと、ストッパ３０２Ａ，３０２Ｂの第２傾斜端面３０４Ａ，３０４Ｂが第２下突起３６Ａ，３６Ｂに摺接して、ストッパ３０２Ａ，３０２Ｂが第２下突起３６Ａ，３６Ｂを乗り越える。したがって、ガラストレイ３０１を加熱庫８内にさらに入れることができる。したがって、ガラストレイ３０１を加熱庫８内に比較的スムーズに入れることができる。
【００９３】
また、上記ストッパ３０２Ａ，３０２Ｂが第２下突起３６Ａ，３６Ｂを乗り越えた後、ストッパ３０２Ｃ，３０２Ｄの第１傾斜端面３０３Ｃ，３０３Ｄが当接するが、図２５，図２６と同様にガラストレイ３０１を傾動させることにより、第２下突起３６Ａ，３６Ｂの当接が解除される。つまり、第２下突起３６Ａ，３６Ｂからストッパ３０２Ｃ，３０２Ｄが離間する。したがって、ストッパ３０２Ｃ，３０２Ｄに第２下突起３６Ａ，３６Ｂを乗り越えさせて、ガラストレイ３０１の全部を加熱庫６内の下部に入れることができる。
【００９４】
また、上記右端部３０１ｄの下面にストッパ３０２Ａ，３０２Ｃを設け、かつ、左端部３０１ｅの下面にストッパ３０２Ｂ，３０２Ｄを設けているので、ガラストレイ３０１上に例えば金属トレイ２０１を重ねて使用できる。したがって、ガラストレイ３０１の利便性を向上させることができる。
【００９５】
また、上記右端部３０１ｄの下面にストッパ３０２Ａ，３０２Ｃを設け、かつ、左端部３０１ｅの下面にストッパ３０２Ｂ，３０２Ｄを設けているので、ガラストレイ３０１を上方から見たとき、ストッパ３０２Ａ，３０２Ｂ，３０２Ｃ，３０２Ｄが目立ち難く、ガラストレイ３０１の美観の低下を防ぐことができる。
【００９６】
また、上記ストッパ３０２Ａ，３０２Ｂ，３０２Ｃ，３０２Ｄは、底部３０１ａ、右側部３０１ｂ、左側部３０１ｃ、右端部３０１ｄおよび左端部３０１ｅなどと共に、耐熱ガラス材料を用いた一体成型で形成されたものであるので、ガラストレイ３０１の製造工程数を減らして、ガラストレイ３０１の製造コストを低減できる。
【００９７】
また、上記第２下突起３６Ａ，３６Ｂは加熱庫８の開口部８ａ近傍に位置しているので、第２下突起３６Ａ，３６Ｂがストッパ３０２Ａ，３０２Ｂに当接することでガラストレイ３０１が止まった時、ガラストレイ３０１の大部分を加熱庫８外に確実に出すことができる。したがって、ガラストレイ３０１が被加熱物２３を搭載している場合、ガラストレイ３０１から被加熱物２３をより容易に取り出すことができる。
【００９８】
上記実施形態では、ガラストレイ３０１に、加熱庫８内での位置を決めるためのストッパを設けていなかったが、ガラストレイ３０１に、加熱庫８内での位置を決めるためのストッパを設けてもよい。
【００９９】
上記実施形態では、ストッパ２０３Ａ，２０３Ｂが加熱庫６内の奥側に位置するように、金属トレイ２０１を加熱庫８内の上部に入れていたが、ストッパ２０３Ｃ，２０３Ｄが加熱庫６内の奥側に位置するように、金属トレイ２０１を加熱庫８内の上部に入れることもできる。
【０１００】
また、上記ストッパ２０３Ｃ，２０３Ｄが加熱庫６内の奥側に位置するように、金属トレイ２０１を加熱庫８内の上部に入れる場合も、ストッパ２０３Ａ，２０３Ｂが加熱庫６内の奥側に位置するように、金属トレイ２０１を加熱庫８内の上部に入れる場合と同様の作用効果が得られる。
【０１０１】
上記実施形態では、ストッパ３０２Ａ，３０２Ｂが加熱庫６内の奥側に位置するように、ガラストレイ３０１を加熱庫８内の下部に入れていたが、ストッパ３０２Ｃ，３０２Ｄが加熱庫６内の奥側に位置するように、ガラストレイ３０１を加熱庫８内の下部に入れることもできる。
【０１０２】
また、上記ストッパ３０２Ｃ，３０２Ｄが加熱庫６内の奥側に位置するように、ガラストレイ３０１を加熱庫８内の下部に入れた場合も、ストッパ３０２Ａ，３０２Ｂが加熱庫６内の奥側に位置するように、ガラストレイ３０１を加熱庫８内の下部に入れた場合と同様の作用効果が得られる。
【０１０３】
上記実施形態では、上棚受け３１Ａ，３１Ｂに金属トレイ２０１を支持させていたが、上棚受け３１Ａ，３１Ｂにガラストレイ３０１を支持させることもできる。
【０１０４】
また、上記上棚受け３１Ａ，３１Ｂにガラストレイ３０１を支持させる場合も、下棚受け３２Ａ，３２Ｂにガラストレイ３０１を支持させる場合と同様の作用効果が得られる。
【０１０５】
上記実施形態では、下棚受け３２Ａ，３２Ｂにガラストレイ３０１を支持させていたが、下棚受け３２Ａ，３２Ｂに金属トレイ２０１を支持させることもできる。
【０１０６】
また、上記下棚受け３２Ａ，３２Ｂに金属トレイ２０１を支持させる場合も、下棚受け３２Ａ，３２Ｂにガラストレイ３０１を支持させる場合と同様の作用効果が得られる。
【０１０７】
上記実施形態では、加熱庫８の内面に第１上突起３３Ａ，３３Ｂおよび第２上突起３４Ａ，３４Ｂの両方を設けていたが、加熱庫８の内面に第１上突起３３Ａ，３３Ｂおよび第２上突起３４Ａ，３４Ｂの一方だけを設けるようにしてもよい。
【０１０８】
上記実施形態では、加熱庫８の内面に第１下突起３５Ａ，３５Ｂおよび第２下突起３６Ａ，３６Ｂの両方を設けていたが、加熱庫８の内面に第１下突起３５Ａ，３５Ｂおよび第２下突起３６Ａ，３６Ｂの一方だけを設けるようにしてもよい。
【０１０９】
上記実施形態では、ストッパ２０３Ａ，２０３Ｂの前端面に対する第１上突起３３Ａ，３３Ｂの当接は、金属トレイ２０１の手前側が金属トレイ２０１の奥側よりも高くなるように金属トレイ２０１を傾動させることで解除されるようにしていたが、例えば、金属トレイ２０１の奥側が金属トレイ２０１の手前側よりも高くなるように金属トレイ２０１を傾動させることで解除されるように、第１上突起３３Ａ，３３Ｂ，ストッパ２０３Ａ，２０３Ｂの形状または位置などを変更してもよい。
【０１１０】
上記実施形態では、ストッパ３０２Ａ，３０２Ｂの第１傾斜端面３０３Ａ，３０３Ｂに対する第２下突起３６Ａ，３６Ｂの当接は、ガラストレイ３０１の手前側がガラストレイ３０１の奥側よりも高くなるようにガラストレイ３０１を傾動させることで解除されるようにしていたが、例えば、ガラストレイ３０１の奥側がガラストレイ３０１の手前側よりも高くなるようにガラストレイ３０１を傾動させることで解除されるように、第２下突起３６Ａ，３６Ｂ，ストッパ３０２Ａ，３０２Ｂの形状または位置などを変更してもよい。
【０１１１】
本発明は、例えば、過熱水蒸気または水蒸気を使用するオーブン、レンジ、オーブンレンジ等の加熱調理器のみならず、過熱水蒸気および水蒸気を使用しないオーブン、レンジ、オーブンレンジ等の加熱調理器にも適用できる。
【符号の説明】
【０１１２】
１…ケーシング
２…把手付きドア
８…加熱庫
８ａ…開口部
８ｂ…給気口
８ｃ…排気口
８ｄ…右側壁
８ｅ…左側壁
２３…被加熱物
３１Ａ，３１Ｂ…上棚受け
３２Ａ，３２Ｂ…下棚受け
３３Ａ，３３Ｂ…第１上突起
３４Ａ，３４Ｂ…第２上突起
３５Ａ，３５Ｂ…第１下突起
３６Ａ，３６Ｂ…第２下突起
２０１…金属トレイ
２０２…トレイ本体
２０２ａ…底部
２０２ｂ…側部
２０２ｃ…フランジ部
２０２ｄ…貫通孔
２０３Ａ，２０３Ｂ，２０３Ｃ，２０３Ｄ…ストッパ
３０１…ガラストレイ
３０１ａ…底部
３０１ｂ…右側部
３０１ｃ…左側部
３０１ｄ…右端部
３０１ｅ…左端部
３０２Ａ，３０２Ｂ，３０２Ｃ，３０２Ｄ…ストッパ
３０３Ａ，３０３Ｂ，３０３Ｃ，３０３Ｄ…第１傾斜端面
３０４Ａ，３０４Ｂ，３０４Ｃ，３０４Ｄ…第２傾斜端面
【図１】
2013160403.tif 000003
【図２】
2013160403.tif 000004
【図３】
2013160403.tif 000005
【図４】
2013160403.tif 000006
【図５】
2013160403.tif 000007
【図６】
2013160403.tif 000008
【図７】
2013160403.tif 000009
【図８】
2013160403.tif 000010
【図９】
2013160403.tif 000011
【図１０】
2013160403.tif 000012
【図１１】
2013160403.tif 000013
【図１２】
2013160403.tif 000014
【図１３】
2013160403.tif 000015
【図１４】
2013160403.tif 000016
【図１５】
2013160403.tif 000017
【図１６】
2013160403.tif 000018
【図１７】
2013160403.tif 000019
【図１８】
2013160403.tif 000020
【図１９】
2013160403.tif 000021
【図２０】
2013160403.tif 000022
【図２１】
2013160403.tif 000023
【図２２】
2013160403.tif 000024
【図２３】
2013160403.tif 000025
【図２４】
2013160403.tif 000026
【図２５】
2013160403.tif 000027
【図２６】
2013160403.tif 000028
【図２７】
2013160403.tif 000029
【図２８】
2013160403.tif 000030